(57)【要約】  本発明の実施例は、容量内蔵型タッチパネルと表示装置を提供して、前記容量内蔵型タッチパネルは、アレイ基板を含み、前記アレイ基板上には、ゲートライン、データライン及び共通電極層が設置されており、その中に、前記共通電極層は、複数の相互絶縁のタッチ駆動電極ユニットとタッチ感知電極ユニットを含み、前記タッチ駆動電極ユニットは、複数のタッチ駆動サブ電極を含み、前記タッチ感知電極ユニットは、複数のタッチ感知サブ電極を含み、前記タッチ駆動サブ電極とタッチ感知サブ電極との中の一方はブリッジ渡し方式でデータライン方向に沿って接続され、他方のサブ電極はゲートライン方向に沿って直接に接続され、あるいは、前記タッチ駆動サブ電極とタッチ感知サブ電極との中の一方はブリッジ渡し方式でゲートライン方向に沿って接続され、他方のサブ電極はデータライン方向に沿って直接に接続される。
2016518651.tif 000002
【特許請求の範囲】
【請求項１】
アレイ基板を含む容量内蔵型タッチパネルであり、
容量前記アレイ基板上には、ゲートライン、データライン、及び共通電極層が設置されており、
前記共通電極層は、複数の相互絶縁のタッチ駆動電極ユニットとタッチ感知電極ユニットを含み、
前記タッチ駆動電極ユニットは、複数のタッチ駆動サブ電極を含み、前記タッチ感知電極ユニットは、複数のタッチ感知サブ電極を含み、
前記タッチ駆動サブ電極とタッチ感知サブ電極との中の一方はブリッジ渡し方式でデータライン方向に沿って接続され、前記タッチ駆動サブ電極とタッチ感知サブ電極との中の他方はゲートライン方向に沿って直接に接続される；あるいは、前記タッチ駆動サブ電極とタッチ感知サブ電極との中の一方はブリッジ渡し方式でゲートライン方向に沿って接続され、前記タッチ駆動サブ電極とタッチ感知サブ電極との中の他方はデータライン方向に沿って直接に接続される、容量内蔵型タッチパネル。
【請求項２】
前記タッチ駆動サブ電極がゲートライン方向に沿って直接に接続されて、且つ、前記タッチ感知サブ電極がブリッジ渡し方式でデータライン方向に沿って互いに接続される時に、少なくとも一つのゲートラインは、タッチ時間帯にタッチスキャンラインとして、タッチ駆動電極ユニットにタッチスキャン信号を印加するために用いられる、
請求項１に記載のタッチパネル。
【請求項３】
前記タッチパネルは、信号接続線を更に含み、前記タッチ駆動サブ電極がゲートライン方向に沿って直接に接続されて、且つ、前記タッチ感知サブ電極がブリッジ渡し方式でデータライン方向に沿って互いに接続される時に、前記データライン方向に隣接する前記タッチ感知サブ電極が信号接続線を通して、ブリッジ渡し方式で互いに接続され、前記信号接続線は、前記データラインと同一方向に設置される、
請求項１に記載のタッチパネル。
【請求項４】
前記タッチパネルは、信号接続線を更に含み、前記タッチ駆動サブ電極がブリッジ渡し方式でデータライン方向に沿って互いに接続され、且つ、前記タッチ感知サブ電極がゲートラインに沿って直接に接続する時に、前記データライン方向に隣接する前記タッチ駆動サブ電極が信号接続線を通して、ブリッジ渡し方式で互いに接続され、前記信号接続線は、前記データラインと同一方向に設置される、
請求項１に記載のタッチパネル。
【請求項５】
前記信号接続線は、前記データラインと同一層に設置される、
請求項３または４に記載のタッチパネル。
【請求項６】
前記タッチパネルは、信号接続線を更に含み、前記タッチ駆動サブ電極がデータライン方向に沿って直接に接続され、且つ、前記タッチ感知サブ電極がブリッジ渡し方式でゲートライン方向に沿って互いに接続される時に、行方向上に隣接する前記タッチ感知サブ電極が信号接続線を通して、ブリッジ渡し方式で互いに接続され、前記信号接続線は、前記ゲートラインと同一方向に設置される、
請求項１に記載のタッチパネル。
【請求項７】
前記タッチパネルは、信号接続線を更に含み、前記タッチ駆動サブ電極がブリッジ渡し方式でゲートライン方向に沿って互いに接続され、且つ、前記タッチ感知サブ電極がデータライン方向に沿って直接に接続される時に、前記ゲートライン方向上に隣接する前記タッチ駆動サブ電極が信号接続線を通して、ブリッジ渡し方式で互いに接続され、前記信号接続線は、前記ゲートラインと同一方向に設置される、
請求項１に記載のタッチパネル。
【請求項８】
前記信号接続線は、前記ゲートラインと同一層に設置される、
請求項６または７に記載のタッチパネル。
【請求項９】
請求項１乃至８のいずれか一項に記載のタッチパネルを含む、表示装置。
【請求項１０】
前記タッチパネル上の信号接続線がデータラインと同一方向に設置される時に、前記信号接続線が青い画素に対応するエリア内に設置される、
請求項９に記載の表示装置。
【発明の詳細な説明】
【技術分野】
【０００１】
本発明は、容量内蔵型タッチパネルと表示装置に関する。
【背景技術】
【０００２】
タッチパネルは、ユーザが直接に手や物体で画像ディスプレイなどのスクリーン上に表示されている指令内容を選択することより、ユーザ指令を入力できる入力設備である。ユーザが手や物体で直接にタッチパネル接触する時に、タッチパネルがタッチポイントを検出して、且つ、選択されたアイコンが指示する命令に応じて、液晶表示装置を駆動して、特定の表示を実現する。
【０００３】
従来のタッチパネルでは、そのタッチパネルが液晶ディスプレイ上に設置される位置の違いにより、主に外付型と内蔵型の２種類に分けている。その中に、内蔵型タッチパネルは、液晶表示装置のパネルの内部に設置され、それゆえに、液晶ディスプレイ製品の厚さを大幅に低減できる。現在、内蔵型タッチパネルを有する表示装置の設計方案は、多くの種類がある。一般的には、液晶ボックス内に一層や二層の透明電極を更に増加することにより、タッチ機能を実現する。しかし、この構造の内蔵型タッチパネルのプロセスが複雑であり、同時に、液晶ディスプレイの透過率に影響してしまう。
【発明の概要】
【発明が解決しようとする課題】
【０００４】
本発明の実施例は、新たな膜層を増加しない条件でタッチ機能を実現できる容量内蔵型タッチパネルと表示装置を提供する。
【課題を解決するための手段】
【０００５】
本発明の実施例は、容量内蔵型タッチパネルを提供し、このタッチパネルがアレイ基板を含み、前記アレイ基板上には、ゲートライン、データライン、及び共通電極層が設置されている。その中に、前記共通電極層は、複数の相互絶縁のタッチ駆動電極ユニットとタッチ感知電極ユニットを含む。前記タッチ駆動電極ユニットは、複数のタッチ駆動サブ電極を含み、前記タッチ感知電極ユニットは、複数のタッチ感知サブ電極を含む。前記タッチ駆動サブ電極とタッチ感知サブ電極との中の一方はブリッジ渡し方式でデータライン方向に沿って接続され、前記タッチ駆動サブ電極とタッチ感知サブ電極との中の他方はゲートライン方向に沿って直接に接続される。あるいは、前記タッチ駆動サブ電極とタッチ感知サブ電極との中の一方はブリッジ渡し方式でゲートライン方向に沿って接続され、前記タッチ駆動サブ電極とタッチ感知サブ電極との中の他方はデータライン方向に沿って直接に接続される。
【０００６】
例えば、前記タッチ駆動サブ電極がゲートライン方向に沿って直接に接続されて、且つ、前記タッチ感知サブ電極がブリッジ渡し方式でデータライン方向に沿って互いに接続される時に、少なくとも一つのゲートラインは、タッチ時間帯にタッチスキャンラインとして、タッチ駆動電極ユニットにタッチスキャン信号を印加するために用いられる。
【０００７】
例えば、前記タッチパネルは、信号接続線を更に含み、前記タッチ駆動サブ電極がゲートライン方向に沿って直接に接続されて、且つ、前記タッチ感知サブ電極がブリッジ渡し方式でデータライン方向に沿って互いに接続される時に、データライン方向に隣接する前記タッチ感知サブ電極が信号接続線を通して、ブリッジ渡し方式で互いに接続され、前記信号接続線は、前記データラインと同一方向に設置される。
【０００８】
例えば、前記タッチパネルは、信号接続線を更に含み、前記タッチ駆動サブ電極がブリッジ渡し方式でデータライン方向に沿って互いに接続され、前記タッチ感知サブ電極がゲートラインに沿って直接に接続する時に、前記データライン方向に隣接する前記タッチ駆動サブ電極が信号接続線を通して、ブリッジ渡し方式で互いに接続され、前記信号接続線は、前記データラインと同一方向に設置される。
【０００９】
例えば、前記信号接続線は、前記データラインと同一層に設置される。
【００１０】
例えば、前記タッチパネルは、信号接続線を更に含み、前記タッチ駆動サブ電極がデータライン方向に沿って直接に接続され、前記タッチ感知サブ電極がブリッジ渡し方式でゲートライン方向に沿って互いに接続される時に、行方向上に隣接する前記タッチ感知サブ電極が信号接続線を通して、ブリッジ渡し方式で互いに接続され、前記信号接続線は、前記ゲートラインと同一方向に設置される。
【００１１】
例えば、前記タッチパネルは、信号接続線を更に含み、前記タッチ駆動サブ電極がブリッジ渡し方式でゲートライン方向に沿って互いに接続され、前記タッチ感知サブ電極がデータライン方向に沿って直接に接続される時に、前記ゲートライン方向上に隣接する前記タッチ駆動サブ電極が信号接続線を通して、ブリッジ渡し方式で互いに接続され、前記信号接続線は、前記ゲートラインと同一方向に設置される。
【００１２】
例えば、前記信号接続線は、前記ゲートラインと同一層に設置される。
【００１３】
本発明における一つの実施例は、表示装置を提供し、前記表示装置は、上記のタッチパネルを含む。
【００１４】
例えば、前記タッチパネル上の信号接続線がデータラインと同一方向に設置される時に、前記信号接続線が青い画素に対応するエリア内に設置される。
【００１５】
本発明の実施例は、タッチパネルと表示装置を提供する。前記タッチパネルは、アレイ基板を含み、前記アレイ基板上には、ゲートライン、データライン及び共通電極層が設置されている。その中に、前記共通電極層は、複数の相互絶縁のタッチ駆動電極ユニットとタッチ感知電極ユニットを含む。前記タッチ駆動電極ユニットは、複数のタッチ駆動サブ電極を含み、前記タッチ感知電極ユニットは、複数のタッチ感知サブ電極を含む。前記タッチ駆動サブ電極とのタッチ感知サブ電極との中の一方はブリッジ渡し方式でデータライン方向に沿って接続され、他方のサブ電極はゲートライン方向に沿って直接に接続される。あるいは、前記タッチ駆動サブ電極とタッチ感知サブ電極との中の一方はブリッジ渡し方式でゲートライン方向に沿って接続され、他方のサブ電極とデータライン方向に沿って直接に接続される。前記タッチパネル表示装置は、共通電極を分割り方案を設計する、即ち、ブリッジ渡し方式と直接接続方式でタッチパネルのタッチ駆動電極ユニットとタッチ感知電極ユニットを形成し、あるいは、ブリッジ渡し方式と直接接続方式でタッチパネルのタッチ感知電極ユニットとタッチ駆動電極ユニットを形成することにより、新たな膜層を増加しない条件でタッチ機能を実現できて、内蔵型タッチパネルの制作プロセスを簡略化した。
【図面の簡単な説明】
【００１６】
本発明の実施例の技術方案を更に明確に説明するために、以下実施例の図面を簡単に紹介し、以下記述された図面は、本発明の一部の実施例のみに係わり、本発明を制限するものではないことは明らかである。
【図１】図１は本発明の第一の実施例が提供するアレイ基板の平面俯瞰図である。
【図２】図２は図１中のＡ１−Ａ方向に沿う断面構造図である。
【図３】図３は本発明の第一の実施例が提供する共通電極層の平面構造図である。
【図４】図４は本発明の第一の実施例が提供する共通電極の等価回路図である。
【図５】図５は本発明の第二の実施例が提供するアレイ基板の平面俯瞰図である。
【図６】図６は本発明の第三の実施例が提供するアレイ基板の平面俯瞰図である。
【図７】図７は本発明の第四の実施例が提供するアレイ基板の平面俯瞰図である。
【発明を実施するための形態】
【００１７】
本発明の実施例の目的、技術方案と利点を更に明確にするために、以下、本発明の実施例の図面を参照しながら、本発明実施例の技術方案を、明確で完全に記述する。もちろん、記述される実施例は、本発明の全部の実施例ではなく、一部の実施例である。記述する本発明の実施例に基づいて、当業者が創造的な労働をする必要がない前提で得る全ての他の実施例は、いずれも本発明の保護の範囲に含まれる。
【００１８】
特に断りのない限り、ここで使用される技術用語又は科学用語は、本発明の所属する分野内で一般スキルを持つ業者らが理解する通常な意味である。本発明の特許出願の明細書と請求の範囲で使用される「第一」、「第二」及び類似な言葉は、何かの順序、数量、又は重要性を示すものではなく、異なる組成成分を区分するもののみである。同様に、「一つ」又は「一」などの類似な言葉は、数量を限定するものではなく、少なくでも一つが存在することを示すものである。中国語の表現において、「含む」又は「含める」などの類似な言葉は、「含む」又は「含める」の前に現れるデバイスや物件が「含む」又は「含める」の後ろに列挙されるデバイスや物件及び同等物をカバーし、且つ、他のデバイス又は物件を除外しないことを意味する。「接続」又は「連接」などの類似な言葉は、物理的な又は機械的な接続に限定されなく、直接的又は間接的に関わらず電気的な接続を含んでもよい。「上」「下」「左」「右」などの言葉は、相対位置の関係のみを示し、記述される相手の絶対位置が変わった後、この相対位置の関係は、相応的に変わる可能性もある。
【００１９】
本発明の実施例は、新たな膜層を増加しない条件でタッチ機能を実現できる容量内蔵型タッチパネルと表示装置を提供する。
【００２０】
本発明の第一の実施例は、容量内蔵型タッチパネルを提供する。図１のように、このタッチパネルは、アレイ基板を含む。図１から分かるように、前記アレイ基板上には、ゲートライン１０１、データライン１０２、及び共通電極層１０３が設置されている。その中に、共通電極層１０３は、複数の相互絶縁のタッチ駆動電極ユニットとタッチ感知電極ユニットを含む（図３を参照）。タッチ駆動電極ユニット１０３１は、複数のタッチ駆動サブ電極１０３１ａを含み、タッチ感知電極ユニット１０３２は、複数のタッチ感知サブ電極１０３２ｂを含む。その中に、タッチ駆動サブ電極１０３１ａは、ブリッジ渡し方式でデータライン１０２方向に沿って接続され、タッチ感知サブ電極１０３２ｂは、ゲートライン１０１方向に沿って直接に接続される。
【００２１】
図１のように、タッチパネルは、信号接続線１０４を更に含む。タッチ駆動サブ電極１０３１ａがデータライン１０２方向に沿ってブリッジ渡し接続して、且つ、タッチ感知サブ電極１０３２ｂがゲートライン１０１方向に沿って直接に接続される時に、タッチ駆動サブ電極１０３１ａが信号接続線１０４を通して、データライン１０２方向に隣接するタッチ駆動サブ電極とブリッジ渡し接続し、信号接続線１０４は、データライン１０２と同一方向に設置される。
【００２２】
図２は、図１中の破線Ａ１−Ａ方向の断面構造図であり、図２から分かるように、アレイ基板は、基板２０１、金属線２０２、ゲート絶縁層２０３、絶縁層２０４、画素電極２０５、鈍化層２０６、ビアホール２０７、及び金属層２０８を含む。その中に、基板２０１は、ガラス基板である。ゲートライン１０１は、基板２０１の上方に位置する。金属線２０２は、ゲートライン１０１と同一層に設置され、且つ、ゲートライン１０１と平行になる。この金属線１０２は、ビアホール２０７を通して共通電極層１０３と接続するものであり、共通電極層１０３の抵抗を低減させるために用いられる。
【００２３】
ゲート絶縁層２０３は、ゲートライン１０１と金属線２０２の上方に位置するものであり、ゲートを他の層電極と絶縁するために用いられる。
【００２４】
信号接続線１０４は、データライン１０２と同一層に設置され、その制作材料は、例えば、銅、鉄などの金属である。
【００２５】
絶縁層２０４は、信号接続線１０４と画素電極２０５の間に位置するものであり、画素電極２０５を信号接続線１０４と絶縁するために用いられる。
【００２６】
画素電極２０５は、絶縁層２０４の上方に位置して、その制作材料は、透明導電材料、例えば、インジウムスズ酸化物（ＩＴＯ）などである。
【００２７】
鈍化層２０６は、画素電極２０５と金属層２０８の間に位置するものであり、画素電極２０５を金属層２０８と絶縁するために用いられる。
【００２８】
信号接続線１０４と金属層２０８は、ビアホール２０７を通して接続される。
【００２９】
金属層２０８は、鈍化層２０６と共通電極層１０３の間に位置して、共通電極層１０３と直接に接続されるものであり、共通電極層１０３の抵抗を低減するために用いられる。
【００３０】
共通電極層１０３は、金属層２０８の上方に位置して、共通電極層１０３は、タッチ駆動電極ユニット１０３１とタッチ感知電極ユニット１０３２を含む。その中に、タッチ駆動電極ユニット１０３１を構成する複数のタッチ駆動サブ電極１０３１ａは、信号接続線１０４を通して、互いに接続する。
【００３１】
ユーザが手やタッチペンでタッチパネルをタップする時に、ユーザの手やタッチペンがタッチポイントで共通電極層１０３と結合して、結合容量が生じることにより、このタッチポイントの出力電圧と出力電流に影響する。ここの出力電圧又は／及び出力電流が変化すると、ここにタッチ動作が発生することを示す。
【００３２】
更に、タッチパネルがタッチされたかどうかを判定した後に、タッチパネルにおいてタッチポイントの具体的な位置を確定することが必要である。
【００３３】
本発明の第一の実施例が提供するアレイ基板では、図１のように、ゲート１０５ａ、ソース１０５ｂ、及びドレーン１０５ｃを有する薄膜トランジスタ（ＴＦＴ）を更に含む。その中に、ゲート１０５ａは、ゲートライン１０１と電気的に接続し、ソース１０５ｂは、データライン１０２と接続し、ドレーン１０５ｃは、ビアホールを通して画素電極２０５と電気的接続する。薄膜トランジスタ１０５は、画素電極２０５と共通電極１０３の電圧の大きさを制御するために用いられる。画素電極２０５と共通電極１０３との両端の電圧の大きさを変えることで、両電極の間の電場を変化させることにより、異なるグレーレベルの表示を実現するように液晶表示装置の輝度を変える。
【００３４】
本発明の実施例が提供するタッチパネルでは、複数のタッチ駆動サブ電極を一緒に接続してタッチパネルのタッチ駆動電極ユニットを形成するように、共通電極層を改進する。なお、タッチパネルのタッチ感知電極ユニットを形成するように、複数のタッチ感知サブ電極を接続する。タッチ駆動電極ユニットとタッチ感知電極ユニットは、垂直交差に配列される。タッチ駆動電極ユニットとタッチ感知電極ユニットで出力される電圧が変化する行又は列により、タッチパネルにおいてタッチポイントの具体的な位置を確定できる。
【００３５】
金属層２０８上に共通電極層を形成する。そして、パターンイングプロセスを用いて、図３のように、垂直交差配列されるタッチ駆動電極ユニット１０３１とタッチ感知電極ユニット１０３２に、共通電極層を分ける。
【００３６】
図３のように、タッチ感知電極ユニット１０３２が横方向アレイであり、それぞれの横方向アレイと隣接の横方向アレイの間を電気隔離にする。それぞれの横方向アレイは、複数のタッチ感知サブ電極１０３２ｂを含み、且つ、それぞれの横方向の複数のタッチ感知サブ電極１０３２ｂが逐次に電気的に接続される。タッチ感知サブ電極１０３２ｂは、複数の画素の共通電極が一緒に電気的に接続されて形成されるものである。
【００３７】
タッチ駆動電極ユニット１０３１が縦方向アレイであり、それぞれの縦方向アレイと隣接の縦方向アレイの間を電気隔離にする。それぞれの縦方向アレイは、複数のタッチ駆動サブ電極１０３１ａを含み、且つ、それぞれの縦方向のタッチ駆動サブ電極１０３１ａが逐次に電気的に接続される。タッチ駆動サブ電極１０３１ａは、複数の画素の共通電極が一緒に電気的に接続されて形成されるものである。
【００３８】
液晶表示装置の全体から見ると、共通電極層１０３が全面連続である。従って、一つの全面連続な共通電極層１０３上に、タッチ駆動電極ユニット１０３１とタッチ感知電極ユニット１０３２をエッチングして形成する過程において、図３のように、エッチングする時に、タッチ感知電極ユニット１０３２中のそれぞれの横方向の複数のタッチ感知サブ電極１０３２ｂの間が連続であれば、タッチ駆動電極ユニット１０３１中のそれぞれの縦方向の複数のタッチ駆動サブ電極１０３１ａが切断になる。それぞれの縦方向の複数のタッチ駆動サブ電極１０３１ａ間の電気接続を実現するために、それぞれの縦方向の複数のタッチ駆動サブ電極１０３１ａの間が電気的に接続されるように、信号接続線を追加的に設置する必要がある。
【００３９】
信号接続線１０４は、必ず共通電極層と異なる層上に設置され、そうでなければ、ゲートライン方向に沿って接続するタッチ感知サブ電極１０３２ｂは、データライン方向に沿って接続するタッチ駆動サブ電極１０３１ａと一緒に短絡してしまい、即ち、タッチ感知電極ユニット１０３２がタッチ駆動電極ユニット１０３１と一緒に短絡してしまう。
【００４０】
図４は、図１中の共通電極層の等価図である。図４では、それぞれの横線が一つの横方向アレイを示し、それぞれの縦線が一つの縦方向アレイを示す。１０３２ｉ-１、１０３２ｉ、及び１０３２ｉ+１は、三つの隣接の横方向アレイ、即ち、タッチ感知電極ユニットアレイを示し、その中に、ｉ＝１、２、３、４……；１０３１ｊ-１、１０３１ｊ、及び１０３１ｊ+１は、三つの隣接の縦方向アレイ、即ち、タッチ駆動電極ユニットアレイであり、ただし、ｊ＝１、２、３、４……。それぞれの横方向アレイとそれぞれの縦方向アレイがそれぞれ交叉されて、複数の交点が形成される。例えば、横方向アレイ１０３２ｉと縦方向アレイ１０３１ｊが交叉される交点は、点Ｂ（ｘｉ,ｙｊ）である。  
【００４１】
この液晶表示装置では、検出ユニットが更に設置されている。この検出ユニットは、各画素ユニット出力端の参照電圧値を提供する。検出ユニットは、逐次に各横方向アレイと縦方向アレイをスキャンして、検出した各横方向アレイと縦方向アレイの実際電圧値を、参照電圧値と比較して、タッチされるかどうかを判定する。
【００４２】
以下、点Ｂがタッチされるかどうかを確定して、そして、どのように点Ｂの座標（ｘ,ｙ）を確定するかを例として、具体的に説明する。
【００４３】
検出ユニットは、横方向アレイ１０３２ｉ-１をスキャンして検出することが完了した後に、次に横方向アレイ１０３２ｉに対してスキャンを行って、逐次に横方向アレイ１０３２ｉ中各点で出力される実際電圧値を検出し、且つ、検出した実際電圧値を、検出ユニットにより提供される参照電圧値と比較する。検出した実際電圧値と参照電圧値が同じであれば、横方向アレイ１０３２ｉ上にタッチされる点が存在しない；検出した実際電圧値と参照電圧値が異なれば、横方向アレイ１０３２ｉ上にタッチされる点が存在するので、タッチされる点の縦座標ｙを確定できる。この時に、検出ユニットは、逐次にそれぞれの縦方向アレイをスキャンしており、縦方向アレイ１０３１ｊ−１をスキャンして検出することが完了した後に、検出ユニットは、次に横方向アレイ１０３１ｊをスキャンして、縦方向アレイ１０３１ｊの各点で出力される実際電圧値を検出し、且つ、検出した実際電圧値を、検出ユニットにより提供される参照電圧値と比較する。検出した実際電圧値と参照電圧値が同じであれば、この縦方向アレイ上にタッチされる点が存在しない；検出した実際電圧値と参照電圧値が異なれば、横方向アレイ１０３１ｊ上にタッチされる点が存在するので、タッチされる点の横座標ｘを確定できる。横方向アレイと縦方向アレイを総合的に考慮して、横方向アレイ１０３２ｉ上にタッチされる点が存在すれば、縦方向アレイ１０３１ｊ上にもタッチされる点が存在し、そして、横方向アレイ１０３２ｉが対応する縦座標ｙと、縦方向アレイ１０３１ｊが対応する横座標ｘに応じて、タッチされる点Ｂの座標が（ｘ，ｙ）であると得られる。
【００４４】
本発明の第二の実施例は、他の一つのアレイ基板を提供し、その平面俯瞰図が図５のように示され、図１に示すアレイ基板との違いは、図５に示すアレイ基板では、タッチ駆動サブ電極１０３１ａは、ゲートライン１０１方向に沿って直接に接続され、タッチ感知サブ電極１０３２ｂは、データライン１０２方向に沿ってブリッジ渡し接続される。タッチ感知サブ電極１０３２ｂは、信号接続線を通して、データライン方向に隣接するタッチ感知サブ電極とブリッジ渡し接続され、その中に、信号接続線は、データラインと同一方向に設置される。図５に示すアレイ基板の動作原理は、図１に示すアレイ基板の動作原理と同じである。
【００４５】
本発明の第三の実施例は、アレイ基板を提供し、その平面俯瞰図が図６のように示される。図１に示すアレイ基板との相違は、図６に示すアレイ基板では、タッチ駆動サブ電極１０３１ａは、データライン１０２方向に沿って直接に接続され、タッチ感知サブ電極１０３２ｂは、ゲートライン１０１方向に沿ってブリッジ渡し接続される。その中に、タッチ感知サブ電極１０３２ｂは、信号接続線１０４を通して、行方向に隣接するタッチ感知サブ電極とブリッジ渡し接続され、信号接続線１０４は、ゲートライン１０１と同一方向に設置される。図６に示すアレイ基板の動作原理は、図１に示すアレイ基板の動作原理と同じである。
【００４６】
本発明の第四の実施例は、アレイ基板を提供し、その平面俯瞰図が図７のように示される。図１に示すアレイ基板との相違は、図７に示すアレイ基板では、タッチ駆動サブ電極１０３１ａは、ゲートライン方向に沿ってブリッジ渡し接続され、タッチ感知サブ電極１０３２ｂは、データライン１０２方向に沿って直接に接続される。その中に、タッチ駆動サブ電極１０３１ａは、信号接続線を通して、ゲートライン方向に隣接するタッチ駆動サブ電極とブリッジ渡し接続され、信号接続線１０４は、ゲートライン１０１と同一方向に設置される。図７に示すアレイ基板の動作原理は、図１に示すアレイ基板の動作原理と同じである。
【００４７】
本発明の他の一つの実施例は、表示装置を更に提供し、この表示装置は、上記のタッチパネルを含む。
【００４８】
タッチパネル上の信号接続線１０４は、データライン１０２と同一方向に設置される時に、信号接続線１０４が青い画素と対応するエリア内に設置される。人の目は色に対する感度が違い、青色に対する認識に不敏感であるので、相対的に青色画素の分量を減少しても、画面表示に影響を与えない。
【００４９】
以上により、本発明の実施例は、容量内蔵型タッチパネルと表示装置を提供し、感知電極とタッチ電極を追加的に設置する必要がなく、共通電極層を改進して、改進した共通電極が画素電極との間に電場を形成して、液晶分子の運動を駆動できる。同時に、共通電極は、タッチポイントでユーザと結合コンデンサを形成でき、その結合コンデンサは、タッチパネルがタッチされたかどうかを判定するために用いられる。そして、共通電極層は、交叉配列されるタッチ感知電極ユニットアレイとタッチ駆動電極ユニットアレイを有し、タッチ感知電極ユニットアレイが横方向アレイであり、タッチ駆動電極ユニットアレイが縦方向アレイであるので、従って、逐次にそれぞれの横方向のタッチ感知電極ユニットアレイをスキャンして、且つ、逐次にそれぞれの縦方向のタッチ駆動電極ユニットアレイをスキャンすることにより、タッチされる点の具体的な位置が総合して得られる。タッチ感知電極とタッチ駆動電極を追加的に設置する必要がないので、本発明の実施例で提供された表示装置は更に軽薄であり、且つその制御は更に正確かつ確実である。本発明は、一つの信号線の全てを用いて、タッチ駆動電極又はタッチ感知電極を接続することで、信号の遅延を低減して、信号伝送の速度を向上できる。
【００５０】
もちろん、当業者は、本発明の精神と範囲を逸脱せずに、本発明に対して各種の変更と変型を行うことができる。このように、本発明のこれらの変更と変形は、本発明の請求の範囲及び同等技術の範囲に属すれば、本発明は、これらの変更と変形を含むことを意図する。
【符号の説明】
【００５１】
１０１  ゲートライン
１０２  データライン
１０３  共通電極層
１０４  信号接続線
１０５  薄膜トランジスタ
１０５ａ  ゲート
１０５ｂ  ソース
１０５ｃ  ドレーン
２０１  基板
２０２  金属線
２０３  ゲート絶縁層
２０４  絶縁層
２０５  画素電極
２０６  鈍化層
２０７  ビアホール
２０８  金属層
１０３１  タッチ駆動電極ユニット
１０３１ａ  タッチ駆動サブ電極
１０３２  タッチ感知電極ユニット
１０３２ｂ  タッチ感知サブ電極
【図１】
2016518651.tif 000003
【図２】
2016518651.tif 000004
【図３】
2016518651.tif 000005
【図４】
2016518651.tif 000006
【図５】
2016518651.tif 000007
【図６】
2016518651.tif 000008
【図７】
2016518651.tif 000009
【国際調査報告】
2016518651.tif 000010
2016518651.tif 000011
2016518651.tif 000012
2016518651.tif 000013